(57)【要約】【課題】チルト制御に適したフォーカス調節を容易に行うことができる撮像装置を提供すること【解決手段】撮像装置（１００）は、撮像素子（１０６）を撮像光学系の光軸と直交する面に対して回転軸を中心として傾けるチルト制御を行う制御部（１１５）と、フォーカスレンズ（１０２）の位置を決定するフォーカス位置決定部（１１５）と、撮影画像における前記回転軸に対応する第一領域を検出する第一領域検出部と、前記チルト制御によってピントを合わせるべき領域である第二領域を検出する第二領域検出部（１１３）と、を有し、前記フォーカス位置決定部は、前記第一領域と前記第二領域とが重複する第三領域を前記チルト制御前のフォーカス位置として決定し、前記制御部は、前記第三領域に対してピントが合うようにフォーカスレンズの位置が調整された後、前記チルト制御を行う。【選択図】図１
2020115204.tif 000002
【特許請求の範囲】
【請求項１】
撮像素子を撮像光学系の光軸と直交する面に対して回転軸を中心として傾けるチルト制御を行う制御部と、
フォーカスレンズの位置を決定するフォーカス位置決定部と、
撮影画像における前記回転軸に対応する第一領域を検出する第一領域検出部と、
前記チルト制御によってピントを合わせるべき領域である第二領域を検出する第二領域検出部と、を有し、
前記フォーカス位置決定部は、前記第一領域と前記第二領域とが重複する第三領域を前記チルト制御前のフォーカス位置として決定し、
前記制御部は、前記第三領域に対してピントが合うようにフォーカスレンズの位置が調整された後、前記チルト制御を行うことを特徴とする撮像装置。
【請求項２】
前記第三領域を検出する第三領域検出部を更に有することを特徴とする請求項１に記載の撮像装置。
【請求項３】
前記第一領域は、前記回転軸を中心に所定の幅を設けた領域であることを特徴とする請求項１または２に記載の撮像装置。
【請求項４】
前記第二領域検出部は、前記撮影画像を複数の個別領域に分割した際の少なくとも一つの前記個別領域における被写体距離情報に基づいて前記第二領域を検出することを特徴とする請求項１から３のいずれか一項に記載の撮像装置。
【請求項５】
前記個別領域は、単一画素または複数の画素の集まりから成ることを特徴とする請求項４に記載の撮像装置。
【請求項６】
前記第二領域検出部は、前記個別領域における被写体距離情報が、前記回転軸と直交する方向に連続的に変化している領域を前記第二領域として検出することを特徴とする請求項１から５のいずれか一項に記載の撮像装置。
【請求項７】
前記第二領域検出部は、前記回転軸と直交する方向に最下段の前記個別領域から順に被写体距離情報を取得し、隣り合う一対の前記個別領域の被写体距離情報が所定値以上離れている場合に、前記一対の個別領域における下方の個別領域を前記第二領域として検出することを特徴とする請求項１から６のいずれか一項に記載の撮像装置。
【請求項８】
第四領域を検出する第四領域検出部を更に有し、
前記第四領域検出部は、コントラスト情報、輝度情報、ノイズ情報、動き情報の少なくとも一つの情報に基づいて、前記第三領域から前記第四領域を検出することを特徴とする請求項２に記載の撮像装置。
【請求項９】
前記第四領域検出部は、前記第三領域を複数の個別領域に分割し、各個別領域ごとにコントラスト情報、輝度情報、ノイズ情報、動き情報の少なくとも一つの情報に基づいて、前記第三領域から前記第四領域を検出することを特徴とする請求項８に記載の撮像装置。
【請求項１０】
前記第三領域検出部が、前記第三領域を検出できなかった場合、
前記制御部は、
前記チルト制御を禁止すること、
ユーザへ通知を行うこと、
前記第一領域のうち、最も前記第二領域に近い領域を前記第三領域とすること、
前記第三領域を検出できるように撮影画角を調整すること、の少なくとも一つを実行することを特徴とする請求項２、８、９のいずれか一項に記載の撮像装置。
【請求項１１】
前記第一領域から前記第四領域の少なくとも一つを表示する表示部を更に有し、
前記フォーカス位置決定部は、前記表示部に表示された領域において前記フォーカスレンズの位置の調整を行うことを特徴とする請求項８または９に記載の撮像装置。
【請求項１２】
ユーザが領域を指定する領域指定手段を有し、
前記第二領域検出部は、前記領域指定手段により指定された領域に基づいて前記第二領域を検出することを特徴とする請求項１から１１のいずれか一項に記載の撮像装置。
【請求項１３】
前記領域指定手段で指定される領域は、複数の頂点で構成されることを特徴とする請求項１２に記載の撮像装置。
【請求項１４】
前記領域指定手段で指定される領域は、ユーザが指定する点、または直線を含むように設定されることを特徴とする請求項１２または１３に記載の撮像装置。
【請求項１５】
前記領域指定手段で指定される領域の複数の頂点は、少なくとも一つを任意の位置に配置可能であることを特徴とする請求項１２から１４のいずれかに１項に記載の撮像装置。
【請求項１６】
前記撮像素子を前記回転軸の周りに回転させる回転部を更に有する請求項１から１５のいずれか一項に記載の撮像装置。
【発明の詳細な説明】
【技術分野】
【０００１】
本発明は、チルト制御及びフォーカス制御を備えた撮像装置に関し、特にフォーカス制御に関するものである。
【背景技術】
【０００２】
近年、駅のホームや駐車場など様々な場所で、セキュリティを目的としてカメラが設置されている。またセキュリティ用途以外にも工場のレーンなどでも製品の管理でカメラの画像が使用されている。このような様々な用途においては、被写界深度の深い映像を得たいという需要がある。しかし、レンズ性能や画角や絞りなどの撮影条件よっては深い被写界深度を得られない場合がある。例えば、天井に設置したネットワークカメラから道路や通行人や車を撮影する奥行きのあるシーンでは、フォーカスが合う撮影領域は一部となってしまう場合がある。一般的に、絞りを絞ることにより被写界深度を深くする手法があるが、低照度下では絞りを開くことで光量を稼ぐ場合や被写体のブレを抑制するためにシャッタースピードを短くし絞りを開くことで光量を維持する場合も多い。結果として、それらの条件では被写界深度は浅くなってしまい、撮影領域全体にフォーカスが合わずピントがぼけた状態で撮影がおこなわれてしまう場合ある。
【０００３】
このような課題を解決するために、被写体を撮影する撮影光軸系と直交する撮像光軸面に対して撮像面を傾くように回転させること（以下、チルト制御）で焦点面を調整して、撮影シーンの被写界深度を深くするシャインプルーフの原理と呼ばれる技術が一般的に知られている。なお、焦点面は撮像面の回転軸を中心に変化するため、チルト制御においては事前に回転軸に重なる被写体に対して、フォーカスを調節してピントを合わせておく必要がある。
【０００４】
特許文献１には、傾き情報、被写体距離情報、焦点距離に基づいて、チルト角度を算出してチルト制御を行う撮像装置が開示されている。また、特許文献２には、複数の焦点検出エリアの焦点ズレ量に基づいて算出されるチルト角を用いてチルト制御を行う技術が開示されている。
【先行技術文献】
【特許文献】
【０００５】
【特許文献１】特開２０１０−１３０６３３号公報
【特許文献２】特開２０１７−１７３８０２号公報
【発明の概要】
【発明が解決しようとする課題】
【０００６】
しかしながら、特許文献１及び２に開示された撮像装置では、被写体の位置に応じてユーザがフォーカスを調節してピントを合わせる必要があり、手間がかかる。また、撮像面の回転軸に重ならない被写体に対してピントを合わせてしまった場合、チルト制御を行っても所望の被写界深度拡大効果が得られない。
【０００７】
そこで本発明の目的は、チルト制御に適したフォーカス調節を容易に行うことができる撮像装置を提供することである。
【課題を解決するための手段】
【０００８】
本発明に係る撮像装置は、撮像素子を撮像光学系の光軸と直交する面に対して回転軸を中心として傾けるチルト制御を行う制御部と、フォーカスレンズの位置を決定するフォーカス位置決定部と、撮影画像における前記回転軸に対応する第一領域を検出する第一領域検出部と、前記チルト制御によってピントを合わせるべき領域である第二領域を検出する第二領域検出部と、を有し、前記フォーカス位置決定部は、前記第一領域と前記第二領域とが重複する第三領域を前記チルト制御前のフォーカス位置として決定し、前記制御部は、前記第三領域に対してピントが合うようにフォーカスレンズの位置が調整された後、前記チルト制御を行うことを特徴とする。
【０００９】
本発明の他の目的及び特徴は、以下の実施形態において説明される。
【発明の効果】
【００１０】
本発明によれば、チルト制御に適したフォーカス調節を容易に行うことができる撮像装置を提供することができる。
【図面の簡単な説明】
【００１１】
【図１】本発明の実施形態１及び２に係る撮像装置の構成例を示すブロック図
【図２】チルト撮影の説明図
【図３】撮影画像の例
【図４】撮影画像における各エリアの説明図
【図５】実施形態１に係る撮像装置が実行するメイン処理のフローチャート
【図６】チルトピント領域検出処理のフローチャート
【図７】チルトピント領域検出の説明図
【図８】実施形態２に係る撮像装置が実行するメイン処理のフローチャート
【図９】最適フォーカス領域検出処理のフローチャート
【図１０】最適フォーカス領域検出の説明図
【図１１】実施形態３に係る撮像装置が実行するメイン処理のフローチャート
【図１２】実施形態４に係る撮像装置が実行するメイン処理のフローチャート
【図１３】ユーザが指定するチルトピント領域の例
【発明を実施するための形態】
【００１２】
以下に、本発明の好ましい実施の形態を、添付の図面に基づいて詳細に説明する。
（全体構成）
図１は、本発明の実施形態にかかわる撮像装置１００の構成を示している。撮像光学系は、光軸方向に移動して焦点距離を変更するズームレンズ１０１と、光軸方向に移動して焦点調節を行うフォーカスレンズ１０２と、光量を調整する絞りユニット１０３とを有する。撮像光学系を通過した光は、バンドパスフィルタ（以下、ＢＰＦ）１０４及びカラーフィルタ１０５を介して撮像素子１０６上に光学像としての被写体像を形成する。
【００１３】
ＢＰＦ１０４は撮像光学系の光路に対し進退可能なものもある。被写体像は、撮像素子１０６により光電変換される。撮像素子１０６から出力されたアナログ電気信号（撮像信号）は、ＡＧＣ１０７によりゲイン調整され、ＡＤ変換器１０８によりデジタル信号に変換された後、カメラ信号処理部１０９に入力される。
【００１４】
カメラ信号処理部１０９では、デジタル撮像信号に対して各種画像処理を行って映像信号を生成する。映像信号は、通信部１１０を介して撮像装置に有線または無線通信により接続された監視モニタ装置１１１に出力される。通信部１１０は、外部からのコマンドを受けて撮像装置内のチルト／ズーム／フォーカス制御部１１５（制御部、フォーカス位置決定部）にコマンドなどの制御信号を出す。
【００１５】
評価値算出部１１２は、画面内に複数設定された評価枠ごとに、ＡＤ変換機１０８もしくはカメラ信号処理部１０９からＲＧＢの画素値、もしくは輝度値を受け取る。そして、チルト制御やＡＦ制御で使用する特定周波数のコントラストに係る評価値（以下、コントラスト評価値）を算出する。チルトピント領域検出部（第二領域検出部）１１３は、評価値算出部１１２で得られた各評価枠のコントラスト評価値に基づいて、チルト制御によってピントを合わせるべき領域（以下、チルトピント領域（第二領域））を検出する。
【００１６】
フォーカス領域検出部（第三領域検出部、第四領域検出部）１１４は、チルトピント領域検出部１１３で検出したチルトピント領域と、回転軸領域検出部（第一領域検出部）１１９で検出した撮像素子の回転軸領域（第一領域）に基づいて、フォーカス領域（第三領域）を検出する。
【００１７】
チルト／ズーム／フォーカス制御部１１５は、通信部１１０からの指示に基づいて撮像素子駆動部１１６（回転部）、フォーカス駆動部１１７、ズーム駆動部１１８に対して、それぞれチルト角設定位置、ズーム設定位置、フォーカス設定位置を指示する。ここで、チルト制御前のフォーカス設定位置に関してはフォーカス領域検出部１１４で検出されたフォーカス領域に基づいて決定する。
【００１８】
撮像素子駆動部１１６は、チルト／ズーム／フォーカス制御部１１５から指示されたチルト角設定位置に基づいて撮像素子１０６を傾ける。大抵の場合、撮像素子１０６を傾ける撮像素子回転軸は、図３に示すように撮影画面の中心に位置し、撮像素子回転軸を中心に撮像素子１０６は傾く。
【００１９】
フォーカス駆動部１１７は、チルト／ズーム／フォーカス制御部１１５から指示されたフォーカスの設定位置に基づいてフォーカスレンズ１０２の位置を制御する。ズーム駆動部１１８は、チルト／ズーム／フォーカス制御部１１５から指示されたズームの設定位置に基づいてズームレンズ１０１の位置を制御する。
【００２０】
チルト制御について、図２を用いて説明する。図２(ａ)は、光学系と撮像素子とが平行である状態を示している。被写体距離Ｌにピントが合うようにフォーカスが調節されており、そのピント面は光学系および撮像素子と平行となる。図２(ｂ)には、図２（ａ）の状態から撮像素子を撮像素子回転軸を中心に回転させ、チルト制御を行った状態を示している。チルト制御を行うと、シャインプルーフの原理に基づいてピント面も撮像素子回転軸に対応したピント面回転軸を中心に回転するため、ある平面に関して近距離から遠距離まですべての被写体にピントを合わせることが可能となる。シャインプルーフの原理は、光学系の主面と撮像素子の撮像面がある１つの直線で交わるとき、ピント面も同じ直線上で交わるという原理であり、焦点距離f、被写体距離Ｌ、俯角αとするとチルト角ｂはシャインプルーフの原理より、次式（１）で算出される。
【００２１】
【数１】
2020115204.tif 000003
【００２２】
なお、撮像素子を回転させる代わりに、撮像光学系を回転させることでチルト制御を行っても同様の効果が得られる。
【００２３】
チルト制御におけるフォーカス調節について説明する。
【００２４】
図２より、チルト制御によって所望の平面にピントを合わせるには、撮像素子回転軸に対応する領域（以下、撮像素子回転軸領域（第一領域））で、その平面にピントが合うようにフォーカスを調節する必要があることがわかる。図３と図４を用いて、より詳細に説明する。図３は撮影画像の例であり、図４は図３に各エリアを図示したものである。領域４０１は撮像素子回転軸領域であり、撮像素子回転軸を中心に所定の幅を設けた領域である。また、領域４０２はチルトピント領域である。このとき、撮像素子回転軸領域４０１かつチルトピント領域４０２である領域４０３をフォーカス領域とする。このフォーカス領域４０３に対してピントが合うようにフォーカス調節を行うことで、チルト制御でチルトピント領域４０２にピントを合わせることが可能となる。逆に、フォーカス領域４０３以外に対してフォーカス調節を行ってしまうと、チルト制御を行ってもチルトピント領域４０２にピントを合わせることができず、ユーザは満足のいく結果を得られない。
【００２５】
なお、図３の撮影画像は一例であり、実際には撮影シーンや撮像素子回転軸の位置によってフォーカス調節領域は異なる。したがって、チルト制御におけるフォーカス調節を確実に行うためには、フォーカス領域をユーザに提示する、または撮像装置が自動でフォーカス領域を検出してフォーカス調節を行う必要がある。
（実施形態１）
以下、実施形態１に係る撮像装置が実行する処理について説明する。
【００２６】
図５は本実施例におけるメイン処理を示したフローチャートである。
＜ステップＳ５０１＞
ステップＳ５０１では、撮像素子回転軸領域を取得する。撮像素子回転軸領域は、図４の４０１でも示した通り、撮像素子回転軸を中心に所定幅を設けた領域であり、予め設定しておく。
＜ステップＳ５０２＞
ステップＳ５０２では、チルトピント領域を検出する。検出方法については後述する。
＜ステップＳ５０３＞
ステップＳ５０３では、フォーカス領域を取得する。フォーカス領域は、図４の４０３でも示した通り、撮像素子回転軸領域かつチルトピント領域である。
＜ステップＳ５０４＞
ステップＳ５０４では、ステップＳ５０３で取得したフォーカス領域が存在するか否かを判断し、存在する場合にはステップＳ５０５へ進み、存在しない場合にはステップＳ５０６へ進む。
＜ステップＳ５０５＞
ステップＳ５０５では、ステップＳ５０４にてフォーカス領域が存在した場合に、そのフォーカス領域に対してピントが合うように、ＡＦ制御を行う。
＜ステップＳ５０６＞
ステップＳ５０６では、ステップＳ５０４にてフォーカス領域が存在しなかった場合に、チルト制御を禁止する。これはフォーカス領域が存在しない場合、チルトピント領域にピント面を合わせるためのフォーカス調節が正しく行えず、チルト制御を行うことで却って意図しないピント面となり得るからである。なお、ここではフォーカス領域が存在しない場合の処理としてチルト制御を禁止したが、例えば、ユーザへ通知を出したり、フォーカス領域が存在するように撮影画角を調整するようにしてもよい。あるいは、チルトピント領域のうち最も撮像素子回転軸領域に近い領域をフォーカス領域とすることで、大まかにフォーカス調節することも可能である。
【００２７】
次にチルトピント領域検出（ステップＳ５０２）の処理について、図６のフローチャートを用いて説明する。
＜ステップＳ６０１＞
ステップＳ６０１では、撮影画像を複数の個別領域に分割する。例として、図３の撮影画像を６４個の個別領域に分割したものを図７（ａ）に示す。個別領域は、単一画素または複数の画素の集まりから成る。
＜ステップＳ６０２＞
ステップＳ６０２では、各個別領域の被写体距離情報を取得する。図７（ｂ）は、図７（ａ）における被写体距離情報であり、濃度が濃いほど被写体距離が遠いことを表している。被写体距離情報は、フォーカスレンズ１０２を駆動させながら、コントラスト評価値を個別領域毎に取得して、評価値がピークとなる最適フォーカス位置を検出することで推定できる。ただし、被写体距離情報の取得方法は最適フォーカス位置による推定に限定されず、例えば測距センサ等を用いて取得してもよい。
＜ステップＳ６０３＞
ステップＳ６０３では、ステップＳ６０２で得られた各個別領域における被写体距離情報に基づいて、チルトピント領域を検出するための判定を行う。チルトピント領域は、図２(ｂ)でのピント面であるため、手前から奥にかけて被写体距離が徐々に遠くなっている領域と考えることができる。したがって、個別領域の列ごとに、最下段の個別領域から順に上の個別領域へと被写体距離を比較して、上の個別領域の被写体距離の方が所定以上遠くなっている（つまり、隣り合う一対の個別領域の被写体距離情報が所定値以上離れている）かどうかを判定（以下、被写体距離判定）することで、チルトピント領域の検出が可能である。１列分の被写体距離判定を、Ａ列を例に説明する。Ａ列８行目と１つ上の７行目では、７行目の方が被写体距離が遠いため、後のステップＳ６０４において、Ａ列８行目をチルトピント領域として検出する。次に７行目と６行目の被写体距離判定に移行する。このように被写体距離判定を順に繰り返していくと、６行目と５行目の被写体距離判定において、被写体距離が同等となる。この場合、立体物（撮影画像３００においては木）があるため、チルトピント領域として検出を行わない。以降１列目までの被写体距離判定では、被写体距離が同等の領域が続くため、チルトピント領域は検出されず、結果Ａ列においては８行目と７行目がチルトピント領域として検出されたことになる。以上と同様の処理を、他の個別領域列に対しても行うと、図７（ｃ）のようにチルトピント領域が検出される。つまり、チルトピント領域は、個別領域における被写体距離情報が、撮像素子回転軸と直交する方向に連続的に変化している領域である。より正確には、撮像素子回転軸と直交する方向に最下段の個別領域から順に被写体距離情報を取得していった場合において、隣り合う一対の個別領域の被写体距離情報が所定値以上離れていれば、その一対の個別領域における下方の個別領域がチルトピント領域に該当する。
【００２８】
なお、ここに示した例は、チルト方向のチルト制御の場合を考え、上下の個別領域同士の被写体距離判定を行ったが、パン方向のチルト制御の場合には、個別領域の各行ごとに、左右の個別領域同士の被写体距離判定を行うことになる。
＜ステップＳ６０４＞
ステップＳ６０４では、ステップＳ６０３における被写体距離判定に基づいて、チルトピント領域の検出を行う。
【００２９】
以上に説明した実施形態１では、撮影シーンに応じて撮像装置が自動でフォーカス領域を検出してフォーカス調節を行う。これにより、チルト制御に適したフォーカス調節を容易に行うことができ、その後のチルト制御において所望の被写界深度拡大効果を得ることが可能である。
（実施形態２）
以下、実施形態２に係る撮像装置が実行する処理について説明する。なお、実施形態１と同様の処理については同符号を付し、説明を省略する。
【００３０】
図８は本実施例におけるメイン処理を示したフローチャートである。
＜ステップＳ８０１＞
ステップＳ８０１では、ステップＳ５０４でフォーカス領域が存在した場合に、のちのＡＦ制御において合焦精度が相対的に高くなる領域である最適フォーカス領域（第四領域）を、フォーカス領域内から検出する。検出方法については後述する。
＜ステップＳ８０２＞
ステップＳ８０２では、ステップＳ８０１で検出した最適フォーカス領域に対してピントが合うように、ＡＦ制御を行う。
【００３１】
次にフォーカス領域内から最適フォーカス領域を検出する処理（ステップＳ８０１）について、図９のフローチャートを用いて説明する。
＜ステップＳ９０１＞
ステップＳ９０１では、フォーカス領域を複数の個別領域に分割する。例として、図４の領域４０３を４個の個別領域に分割したものを図１０に示す。
＜ステップＳ９０２＞
ステップＳ９０２では、各個別領域のコントラスト評価値（コントラスト情報）及び輝度情報を取得する。
＜ステップＳ９０３＞
ステップＳ９０３では、ステップＳ９０２で取得した輝度情報に基づいて、白とびや黒つぶれしている個別領域を検出し、これらを除外する。これは、白とび、黒つぶれしている領域に対してＡＦ制御を行うと、合焦精度が損なわれる可能性があるためである。
＜ステップＳ９０４＞
ステップＳ９０４では、白とびや黒つぶれを除いた個別領域のうち、ステップＳ９０２で取得したコントラスト評価値が最も高い個別領域を最適フォーカス領域として検出する。例えば、図１０において、Ａ、Ｃの個別領域は道路の白線を多く含むためコントラスト評価値が高く、Ｄの個別領域は道路の白線を含まないためコントラスト評価値は低い。この場合、ＡまたはＣの個別領域を最適フォーカス位置として検出することで、のちのＡＦ制御の合焦精度を高くすることができる。
【００３２】
以上に説明した実施形態２では、撮影シーンに応じて撮像装置が自動でフォーカス領域を検出してフォーカス調節を行う。実施形態１に対して、コントラスト評価値が高い領域を検出することでＡＦによる合焦精度を高める効果がある。これにより、チルト制御に適したフォーカス調節を容易に行うことができ、その後のチルト制御において所望の被写界深度拡大効果を得ることが可能である。なお、ここで説明した最適フォーカス領域検出は代表例であり、コントラスト評価値や輝度情報以外のＡＦ合焦精度に関わる要素（ノイズ情報、動体の有無等の動き情報）を追加してもよい。また、ここではコントラスト方式のＡＦを想定しており、その他のＡＦ方式における検出方法はこの限りではない。
（実施形態３）
以下、実施形態３に係る撮像装置が実行する処理について図１１のフローチャートを用いて説明する。なお、実施形態１、２と同様の処理については同符号を付し、説明を省略する。
＜ステップＳ１１０１＞
ステップＳ１１０１では、ステップＳ５０１で取得した撮像素子回転軸領域を監視モニタ装置１１１等のユーザインターフェース（ＵＩ）（表示部）に表示する。これは、チルト制御におけるフォーカス調節領域をユーザに示すことで、フォーカス調節ミス、ひいてはチルト制御によって所望の被写界深度拡大効果が得られないといった障害を防止するためである。なお、ここでは撮像素子回転軸領域を表示しているが、実施形態１、２と組み合わせて、ステップＳ５０２で検出したチルトピント領域、ステップＳ５０３で検出したフォーカス領域、あるいはステップＳ８０１で検出した最適フォーカス領域を表示するようにしてもよい。
＜ステップＳ１１０２＞
ステップＳ１１０２では、ユーザがフォーカス領域を設定する。具体的には、ステップＳ１１０１によって表示された撮像素子回転軸領域の中から、ユーザが所望のチルトピント領域を選択することで、チルト制御に適したフォーカス領域が設定されることになる。
＜ステップＳ１１０３＞
ステップＳ１１０３では、ステップＳ１１０２にてユーザが設定したフォーカス領域に対してピントが合うように、ＡＦ制御を行う。
【００３３】
以上に説明した実施形態３では、チルト制御におけるフォーカス調節を行うべき領域をユーザに提示する。これにより、チルト制御に適したフォーカス調節を確実に行うことができ、その後のチルト制御において所望の被写界深度拡大効果を得ることが可能である。      
【００３４】
（実施形態４）
以下、実施形態４に係る撮像装置が実行する処理について説明する。なお、実施形態１、２、３と同様の処理については同符号を付し、説明を省略する。
【００３５】
図１２は本実施例におけるメイン処理を示したフローチャートである。
＜ステップＳ１２０１＞
ステップＳ１２０１では、領域指定手段を用いてチルトピント領域をユーザが指定する。チルトピント領域の指定は、監視モニタ装置１１１等のユーザインターフェース（ＵＩ）（表示部）を介して行う。例えば、チルトピント領域は複数の頂点を有する多角形にて表示される（図１３（ａ））。初期位置やサイズはユーザ操作（クリックやドラック等）に応じたものとしてもよい。多角形の頂点をそれぞれ任意の位置に配置することで、チルトピント領域を自由に指定可能となる（図１３（ｂ））。
【００３６】
以上に説明した実施形態４では、チルトピント領域をユーザが任意に指定する。指定されたチルトピント領域に応じて、撮像装置が自動でフォーカス領域を検出してフォーカス調節を行う。これにより、チルト制御に適したフォーカス調節を確実に行うことができ、その後のチルト制御において所望の被写界深度拡大効果を得ることが可能である。
【００３７】
以上、本発明の好ましい実施形態について説明したが、本発明はこれらの実施形態に限定されず、その要旨の範囲内で種々の変形及び変更が可能である。
【符号の説明】
【００３８】
１００  撮像装置
１０６  撮像素子
１１３  チルトピント面検出部
１１５  チルト／ズーム／フォーカス制御部
１１９  回転軸領域検出部
【図１】
2020115204.tif 000004
【図２】
2020115204.tif 000005
【図３】
2020115204.tif 000006
【図４】
2020115204.tif 000007
【図５】
2020115204.tif 000008
【図６】
2020115204.tif 000009
【図７】
2020115204.tif 000010
【図８】
2020115204.tif 000011
【図９】
2020115204.tif 000012
【図１０】
2020115204.tif 000013
【図１１】
2020115204.tif 000014
【図１２】
2020115204.tif 000015
【図１３】
2020115204.tif 000016